(57)【特許請求の範囲】
【請求項１】
中央面部とその両側に続く一対の側面部とで断面略コ字状とされた２つのフレーム構成部材を対向させて両側面部の端部同士を接合することにより形成された中空のフレーム本体の内部に、該フレーム本体の内部を横断するようにバルクヘッドが配設され、かつ、前記２つのフレーム構成部材のうちの一方のフレーム構成部材の中央面部が車体外方を向くように配置される車両用フレーム構造であって、
前記バルクヘッドは、前記一方のフレーム構成部材の中央面部に沿う第１辺部と、他方のフレーム構成部材の中央面部に沿う第２辺部と、両フレーム構成部材の側面部に沿い、前記第１、第２辺部の端部同士を結ぶ一対の第３辺部とで囲まれた板面部を有し、
かつ、該板面部に、前記第１辺部の中央より該辺部の両端の各角部寄りの部位と、該部位に対応する前記第２辺部の両端の角部とを互いに交わることなく結ぶ２つの第１線状補強部と、前記第１辺部の両端の各角部と、該角部の対角線上に位置する前記第２辺部の両端の角部とを互いに交わって結ぶ２つの第２線状補強部とが設けられていることを特徴とする車両用フレーム構造。
【請求項２】
前記バルクヘッドの板面部に、前記一対の第３辺部における前記フレーム構成部材の側面部同士の接合部に対応する部位を結ぶ第３線状補強部が設けられていることを特徴とする請求項１に記載の車両用フレーム構造。
【請求項３】
前記第３線状補強部は、前記２つの第２線状補強部の交点を通らないように設けられていることを特徴とする請求項２に記載の車両用フレーム構造。
【請求項４】
前記バルクヘッドは樹脂製であり、
前記第１、第２線状補強部、及び前記第３線状補強部が設けられる場合における該第３線状補強部は、前記板面部に設けられたリブであることを特徴とする請求項１から請求項３のいずれか１項に記載の車両用フレーム構造。
【請求項５】
前記リブは、前記板面部の両面に設けられていることを特徴とする請求項４に記載の車両用フレーム構造。
【請求項６】
前記バルクヘッドは、前記板面部に略直交して設けられて該板面部の周囲を囲む周壁部を有することを特徴とする請求項４又は請求項５に記載の車両用フレーム構造。
【請求項７】
前記周壁部のフレーム本体の長手方向に沿う幅寸法は、バルクヘッドの前記第１辺部側の部位より前記第２辺部側の部位の方が広くされていることを特徴とする請求項６に記載の車両用フレーム構造。
【請求項８】
前記バルクヘッドは金属製であり、
前記第１、第２線状補強部、及び前記第３線状補強部が設けられる場合における該第３線状補強部は、前記板面部に設けられたビードであることを特徴とする請求項１から請求項３のいずれか１項に記載の車両用フレーム構造。
【発明の詳細な説明】
【技術分野】
【０００１】
本発明は、車体を構成するサイドシルやピラー等のフレーム構造に関し、車両の車体構造技術の分野に属する。
【背景技術】
【０００２】
自動車等の車両においては、車体の側部下縁に配設されて前後方向に延びるサイドシルや、車体側面の開口部に沿って配設されて上下方向に延びるピラーなどの各種フレームが設けられるが、この種のフレームは、例えば側突や前突に対して車室内を保護するために、或いは車体のねじり剛性を向上させて車両の良好な操縦安定性を実現するために、所要の強度や剛性が要求され、そこで、中空のフレーム本体の内部に補強体を配設し、フレーム全体としての重量増を極力抑制しながら、その強度や剛性を向上させることが試みられている。
【０００３】
例えば特許文献１には、車体の側部下縁に沿って前後方向に延びるサイドシル（ロッカー）のリーンフォースメントとインナパネルとで形成される閉断面内に、該閉断面を長手方向に仕切る金属板でなるバルクヘッドを配設した構成が開示されており、このバルクヘッドは、側突時におけるロッカーの閉断面崩れを効果的に抑制するため、板面に車外側の下方位置から車内側の上方位置へ延びる補強ビードを設けた構成とされている。
【０００４】
また、特許文献２には、同じくサイドシル（ロッカー）を構成するインナパネルとアウタパネルとで形成される閉断面内に、硬質樹脂で略Ｘ字状に形成された補強部材を配設し、該補強部材の各端部を閉断面の４箇所の角部に、発泡性接着剤を用いてそれぞれ内側から接合させた構成が開示されている。
【先行技術文献】
【特許文献】
【０００５】
【特許文献１】特開２００８−１２０１７９号公報
【特許文献２】特開２００９−１７３１０９号公報
【発明の概要】
【発明が解決しようとする課題】
【０００６】
前記引用文献１、２の構成は、いずれも、サイドシルに車体外方から入力される側突荷重を剛性の高い車外側の角部から車内側の角部へ伝達することにより、該サイドシルの断面変形を防止しようとするものであるが、特許文献１のバルクヘッドは、補強ビードにより、側突荷重をロッカーの車外側の下方の角部から車内側の上方の角部へ伝達する構成であり、また、特許文献２のものも、側突荷重をロッカーの車外側の上下の角部から車内側の上下の角部へ対角線状に伝達する構成で、前者のものでは、車外側の上方の角部に入力された荷重は車内側へ確実に伝達できず、また、後者のものも、例えば車外側の下方の角部に入力された荷重は車内側の上方の角部に集中的に伝達されることになって、側突荷重を分散することができず、いずれも、耐側突性能が必ずしも十分とはいえない面がある。
【０００７】
そこで、本発明は、サイドシルやピラー等の車両用のフレーム構造として、車体外方からの荷重を効果的に分散しながら車内側へ伝達することが可能な構造を実現して、側突荷重等による当該フレームの断面変形を効果的に抑制することを第１の課題とする。また、本発明は、前記課題に加えて、車体のねじり剛性を向上させるのに有効なフレーム構造を実現することを第２の課題とする。
【課題を解決するための手段】
【０００８】
前記課題を解決するため、本発明は次のように構成したことを特徴とする。
【０００９】
まず、本願の請求項１に係る発明は、中央面部とその両側に続く一対の側面部とで断面略コ字状とされた２つのフレーム構成部材を対向させて両側面部の端部同士を接合することにより形成された中空のフレーム本体の内部に、該フレーム本体の内部を横断するようにバルクヘッドが配設され、かつ、前記２つのフレーム構成部材のうちの一方のフレーム構成部材の中央面部が車体外方を向くように配置される車両用フレーム構造であって、前記バルクヘッドは、前記一方のフレーム構成部材の中央面部に沿う第１辺部と、他方のフレーム構成部材の中央面部に沿う第２辺部と、両フレーム構成部材の側面部に沿い、前記第１、第２辺部の端部同士を結ぶ一対の第３辺部とで囲まれた板面部を有し、かつ、該板面部に、前記第１辺部の中央より該辺部の両端の各角部寄りの部位と、該部位に対応する前記第２辺部の両端の角部とを互いに交わることなく結ぶ２つの第１線状補強部と、前記第１辺部の両端の各角部と、該角部の対角線上に位置する前記第２辺部の両端の角部とを互いに交わって結ぶ２つの第２線状補強部とが設けられていることを特徴とする。
【００１０】
ここで、前記第１線状補強部の第１辺部側の端部が位置する該辺部両端の角部寄りの部位には、その角部自体も含まれるが、例えば板面部の周囲に周壁部が設けられる場合においては、該周壁部と第１線状補強部との重なりを回避し、或いは製造上の理由等から、該第１線状補強部の第１辺部側の端部が、該辺部の両端の角部から中央側に寄った位置に設けられることがある。また、前記第１線状補強部の第２辺部側の端部、及び第２線状補強部の第１、第２辺部側の端部が位置する角部には、隣接する辺部が交わる角の近傍が含まれる。
【００１１】
また、請求項２に係る発明は、前記請求項１に記載の車両用フレーム構造において、前記バルクヘッドの板面部に、前記一対の第３辺部における前記フレーム構成部材の側面部同士の接合部に対応する部位を結ぶ第３線状補強部が設けられていることを特徴とする。
【００１２】
また、請求項３に係る発明は、前記請求項２に記載の車両用フレーム構造において、前記第３線状補強部は、前記２つの第２線状補強部の交点を通らないように設けられていることを特徴とする。
【００１３】
また、請求項４に係る発明は、前記請求項１から請求項３のいずれか１項に記載の車両用フレーム構造において、前記バルクヘッドは樹脂製であり、前記第１、第２線状補強部、及び前記第３線状補強部が設けられる場合における該第３線状補強部は、前記板面部に設けられたリブであることを特徴とする。
【００１４】
また、請求項５に係る発明は、前記請求項４に記載の車両用フレーム構造において、前記リブは、前記板面部の両面に設けられていることを特徴とする。
【００１５】
また、請求項６に係る発明は、前記請求項４又は請求項５に記載の車両用フレーム構造において、前記バルクヘッドは、前記板面部に略直交して設けられて該板面部の周囲を囲む周壁部を有することを特徴とする。
【００１６】
また、請求項７に係る発明は、前記請求項６に記載の車両用フレーム構造において、前記周壁部のフレーム本体の長手方向に沿う幅寸法は、バルクヘッドの前記第１辺部側の部位より前記第２辺部側の部位の方が広くされていることを特徴とする。
【００１７】
そして、請求項８に係る発明は、前記請求項１から請求項３のいずれか１項に記載の車両用フレーム構造において、前記バルクヘッドは金属製であり、前記第１、第２線状補強部、及び前記第３線状補強部が設けられる場合における該第３線状補強部は、前記板面部に設けられたビードであることを特徴とする。
【発明の効果】
【００１８】
上記の構成により、前記各請求項に係る発明によれば、次の効果が得られる。
【００１９】
まず、請求項１に係る発明によれば、中空のフレーム本体の内部に該フレーム本体の内部を横断するように配設されるバルクヘッドの板面部に、車体外方側に位置する第１辺部の中央より該辺部の両端の各角部寄りの部位と、該部位に対応する車体内方側に位置する第２辺部の両端の角部とを互いに交わることなく結ぶ２つの第１線状補強部と、前記第１辺部の両端の各角部と、該角部の対角線上に位置する前記第２辺部の両端の角部とを互いに交わって結ぶ２つの第２線状補強部とを設けたので、例えば当該車両の側突時等において、フレーム本体の車体外方の面に荷重が加わったときに、この荷重は、前記バルクヘッドの車外側に位置する第１辺部の中央より両端の角部寄りの部位から、該部位に対応する車内側の第２辺部の両端の角部に向けて、第１線状補強部を介して伝達されると同時に、同じく車外側に位置する第１辺部の両端の角部から、該角部の対角線上に位置する車内側の第２辺部の両端の角部に向けて、第２線状補強部を介して伝達されることになる。
【００２０】
つまり、車外側の第１辺部の一端の角部ないし該角部寄りの部位から車内側の第２辺部の両端の角部に荷重が分散されて伝達され、また、車外側の第１辺部の他端の角部ないし該角部寄りの部位からも、車内側の第２辺部の両端の角部に荷重が分散されて伝達されることになる。
【００２１】
これにより、フレーム本体に外方から加わった荷重が、該フレーム本体の車体外方の面に上下方向に偏って入力された場合にも、バルクヘッドにおける車内側の第２辺部の上下両端の角部の両方にほぼ均等に伝達されて、該フレーム本体の車内側の面の広い範囲で受け止められることになる。その結果、重量増加を抑制して当該車両の燃費の改善ないし省エネルギー効果の向上を図りつつ、前記荷重によるフレーム本体の断面形状の変形を抑制して、例えばサイドシルの耐側突性能を向上させることが可能となる。
【００２２】
また、請求項２に係る発明によれば、前記バルクヘッドの板面部に、一対の第３辺部における前記フレーム構成部材の側面部同士の接合部に対応する部位を結ぶ第３線状補強部を設けたから、フレーム本体の前記２箇所の接合部が互いに離間し或いは接近するような変形が抑制されることになる。この変形は、例えば車体のねじれによって生じることがあるもので、この変形が抑制されることにより、車体のねじり剛性が向上し、当該車両の操縦安定性が向上する。
【００２３】
ところで、前記第３線状補強部を設ける場合に、この補強部が互いに交わる２つの第２線状補強部の交点を通ると、３つの線状補強部が一点で交わることになり、この場合、各線状補強部によって伝達される荷重がそれらの交点に集中し、該交点の近傍でバルクヘッドの強度が不足し、破損するおそれが生じる。
【００２４】
これに対し、請求項３に係る発明によれば、前記第３線状補強部を設ける場合に、該補強部が前記２つの第２線状補強部の交点を通らないように設けるので、この交点に荷重が集中することが抑制され、該交点近傍でのバルクヘッドの破損が抑制されるなど、該バルクヘッドの強度が向上することになる。
【００２５】
また、請求項４に係る発明によれば、前記バルクヘッドを樹脂製とし、前記各線状補強部を板面部に設けたリブとしたことにより、比較的簡素な構成で、上記のような荷重の分散伝達効果ないし断面形状の変形抑制効果が実現される。
【００２６】
そして、請求項５に係る発明によれば、バルクヘッドが樹脂製の場合に、前記リブを板面部の両面に設けたので、車体外方からの荷重がバルクヘッドの片面側に偏ることなく、両面に均等に分散されて車内側に伝達されることになり、荷重の分散がさらに良好に行われて、フレーム本体の変形抑制効果がさらに向上することになる。
【００２７】
また、請求項６に係る発明によれば、前記バルクヘッドに板面部の周囲を囲む周壁部を設けたので、フレーム本体に入力される車体外方からの荷重が、周壁部が存在しない場合に比べて、フレーム本体の長手方向に広い幅でバルクヘッドに入力されると共に、車内側へも広い幅で伝達されることになり、フレーム本体の変形がさらに効果的に抑制されると共に、バルクヘッドのフレーム本体の内面に対する広い接合面積を確保することができ、該バルクヘッドをフレーム本体の内部に、正規の姿勢で良好に配設することが可能となる。
【００２８】
そして、請求項７に係る発明によれば、前記バルクヘッドにおける周壁部のフレーム本体の長手方向に沿う幅寸法を、第１辺部側より第２辺部側の方が広くなるように設定したので、フレーム本体の車体外方の面から入力される荷重が車内側の面にさらに分散されて伝達されることになり、バルクヘッドの荷重分散伝達性能がさらに向上することになる。
【００２９】
そして、請求項８に係る発明によれば、前記バルクヘッドを金属製とし、前記各線状補強部を板面部に設けたビードとしたことにより、前記請求項４の発明と同様に、比較的簡素な構成で、荷重の分散伝達効果が実現される。
【図面の簡単な説明】
【００３０】
【図１】本発明の実施形態に係るフレーム構造の要部を示す斜視図である。
【図２】同じくフレーム構造の要部を示す断面図である。
【図３】同実施形態におけるバルクヘッドの単体斜視図である。
【図４】同じく平面図である。
【図５】同じく側面図である。
【図６】車体のねじれによるフレーム本体の変形の説明図である。
【図７】バルクヘッドの他の実施形態を示す正面図である。
【発明を実施するための形態】
【００３１】
以下、本発明のフレーム構造を、車体の側部下縁に配設されて前後方向に延びるサイドシルに適用した場合の実施形態について説明する。
【００３２】
図１に示すように、前記サイドシル１は中空のフレーム本体２を有し、該フレーム本体２は、アウタパネル３とインナパネル４とで構成されていると共に、図２に示すように、前記アウタパネル３は、車体外方を向く中央面部３ａと、その上下の縁部に連続して車内側へ折曲された上面部３ｂ及び下面部３ｃとを有し、全体として断面形状が略コ字状とされている。また、インナパネル４は、車体内方を向く中央面部４ａと、その上下の縁部に連続して車外側へ折曲された上面部４ｂ及び下面部４ｃとを有し、前記アウタパネル３と同様、全体として断面形状が略コ字状とされている。
【００３３】
そして、アウタパネル３の前記上面部３ｂ及び下面部３ｃの端部にはフランジ部３ｄ、３ｅがそれぞれ設けられていると共に、インナパネル４の前記上面部４ｂ及び下面部４ｃの端部にもフランジ部４ｄ、４ｅがそれぞれ設けられており、両パネル３、４を対向させた状態で、アウタパネル３のフランジ部３ｄ、３ｅと、インナパネル４のフランジ部４ｄ、４ｅとをそれぞれ接合することにより、前後方向に延びる中空部を有するフレーム本体２が形成されている。
【００３４】
また、図１、図２に示すように、このフレーム構造においては、前記フレーム本体２の内部に、樹脂でなる複数（１つのみ図示）のバルクヘッド１０が適宜間隔を隔てて該フレーム本体内部を横断するように配設されている。このバルクヘッド１０は、周囲が発泡接着剤５を介してフレーム本体２の内面に接合されており、これにより、該フレーム本体２の内部が長手方向に仕切られている。
【００３５】
次に、このバルクヘッド１０の構成を図３〜５により説明すると、該バルクヘッド１０は、フレーム本体２の中空部を仕切る板面部１１と、該板面部１１と直交し、該板面部１１からフレーム本体２の長手方向の両側に延びて該板面部１１の周囲を囲む周壁部１２とを有し、全体形状が、前記アウタパネル３の中央面部３ａに沿う第１辺部１０ａと、該第１辺部１０ａに対向して、前記インナパネル４の中央面部４ａに沿う第２辺部１０ｂと、前記両パネル３、４の上面部３ｂ、４ｂ及び下面部３ｃ、４ｃにそれぞれ沿い、前記第１、第２辺部１０ａ、１０ｂの上下の端部同士を結ぶ上下一対の第３辺部１０ｃ、１０ｃとで囲まれた略四角形状とされている。
【００３６】
なお、この実施形態では、前記アウタパネル３の上面部３ｂと下面部３ｃ、及び前記インナパネル４の上面部４ｂと下面部４ｃは、いずれもフランジ側がやや開いたコ字状とされて、フレーム本体２の断面形状が正確には略六角形状とされており、これに伴って、前記バルクヘッド１０の上下の第３辺部１０ｃ、１０ｃは山形に折曲した形状とされ、該バルクヘッド１０も、正確には略六角形状とされている。
【００３７】
また、図４にバルクヘッド１０の平面形状を示すように、前記周壁部１２のフレーム本体２の長手方向に沿う幅寸法は、前記第１辺部１０ａ側の寸法Ｗ１より第２辺部１０ｂ側の寸法Ｗ２の方が広くされている。
【００３８】
そして、このバルクヘッド１０の前記周壁部１２で囲まれた板面部１１の両面には、複数のリブが設けられており、次に、図２、図３により、一方の面を例にとって、これらのリブの構成を説明する。
【００３９】
まず、前記バルクヘッド１０の第１辺部１０ａの中央より該第１辺部１０ａの上下両端の角部１０ｄ、１０ｄ寄りの部位ａ、ａと、該角部１０ｄ、１０ｄと上下に対応する第２辺部１０ｂの両端の角部１０ｅ、１０ｅとの間に、互いに交わることなく、略ハ字状をなして延びる２つの第１リブ２１、２１が設けられている。
【００４０】
また、前記第１辺部１０ａの両端の角部１０ｄ、１０ｄと、これらの角部１０ｄ、１０ｄの対角線上に位置する前記第２辺部１０ｂの両端の角部１０ｅ、１０ｅとの間に、Ｘ字状に交わって延びる２つの第２リブ２２、２２が設けられている。
【００４１】
さらに、前記の上下一対の第３辺部１０ｃ、１０ｃの山形をなす折れ曲がり部ｂ、ｂを結ぶように、１つの第３リブ２３が設けられている。この第３リブ２３は、前記２つの第２リブ２２、２２の交点ｃを通らないように設けられ、２つの第１リブ２１、２１と２つの第２リブ２２、２２とに、合計４箇所で交わっている。
【００４２】
なお、この実施形態のバルクヘッド１０のように、上下の第３辺部１０ｃ、１０ｃが折曲されて全体形状が略六角形状とされている場合は、型抜き等の製造上の問題がなければ、前記第１リブ２１、２１の部位ａ、ａに位置する第１辺部１０ａ側の端部を、該辺部１０ａの両端の角部１０ｄ、１０ｄに設けてもよい。
【００４３】
さらに、このバルクヘッド１０には、これをフレーム本体２の内部に配設するための構成として、第１辺部１０ａの上部における周壁部１２の外面に仮止めピンの係合部１２ａが設けられていると共に、下方の第３辺部１０ｃにおける周壁部１２の下面には、一対の脚部１２ｂ、１２ｂが設けられている。
【００４４】
そして、このバルクヘッド１０をフレーム本体２の内部に配設するときは、アウタパネル３とインナパネル４との接合前に、バルクヘッド１０の周壁部１２の外面に未発泡の発泡接着剤５を塗布した上で、図２に示すように、前記係合部１２ａに係合させたピン６をアウタパネル３に設けた孔３ｆに挿通し、かつ脚部１２ｂ、１２ｂを該アウタパネル３の下面部３ｃ上に設置して、該バルクヘッド１０をアウタパネル３の内側にセットする。そして、この状態で該アウタパネル３とインナパネル４とを接合すると共に、その後、前記接着剤５を発泡させる。
【００４５】
これにより、図１、図２に示すように、バルクヘッド１０が、サイドシル１のフレーム本体２の内部に、発泡接着剤５を介して、該フレーム本体２の中空部を横断するように配設されることになる。
【００４６】
次に、以上のようなフレーム構造を備えたサイドシル１におけるバルクヘッド１０の作用を説明する。
【００４７】
図２に示すように、当該車両の側突時等において、サイドシル１に外方から大きな荷重Ｆが加わった場合、この荷重Ｆはフレーム本体２を構成するアウタパネル３の中央面部３ａからバルクヘッド１０の第１辺部１０ａに入力され、該バルクヘッド１０を介してインナパネル４側に伝達されることになる。
【００４８】
このとき、前記第１辺部１０ａの中央より該辺部両端の角部１０ｄ、１０ｄ寄りの部位ａ、ａと、該角部１０ｄ、１０ｄと上下に対応する第２辺部１０ｂの両端の角部１０ｅ、１０ｅとの間に、互いに交わることなく延びる２つの第１リブ２１、２１が設けられているので、前記荷重Ｆは、まず、このリブ２１、２１を介して、第２辺部１０ｂの剛性の高い上下両端の角部１０ｅ、１０ｅにそれぞれ伝達されることになる。
【００４９】
また、前記第１辺部１０ａの両端の角部１０ｄ、１０ｄと、これらの角部１０ｄ、１０ｄの対角線上に位置する第２辺部１０ｂの両端の角部１０ｅ、１０ｅとの間にも、互いに交わって延びる２つの第２リブ２２、２２が設けられているから、前記荷重Ｆは、これらのリブ２２、２２を介しても、第２辺部１０ｂの両端の角部１０ｅ、１０ｅにそれぞれ伝達されることになる。
【００５０】
つまり、前記荷重Ｆは、第１辺部１０ａの上端の角部１０ｄないしその近傍から、一方の第１リブ２１を介して第２辺部１０ｂの上方の角部１０ｅに伝達されると同時に、一方の第２リブ２２を介して第２辺部１０ｂの下方の角部１０ｅにも伝達されることになり、また、第１辺部１０ａの下端の角部１０ｄないしその近傍から、他方の第１リブ２１を介して第２辺部１０ｂの下方の角部１０ｅに伝達されると同時に、他方の第２リブ２２を介して第２辺部１０ｂの上方の角部１０ｅにも伝達されることになり、第１辺部１０ａの上部に入力された荷重も下部に入力された荷重も、第２辺部１０ｂ側の２つの角部１０ｅ、１０ｅに分散されて伝達されることになる。
【００５１】
これにより、サイドシル１に外方から加わった荷重Ｆが、アウタパネル３の中央面部３ａに上下均等に入力された場合はもとより、該中央面部３ａに上下方向に偏って入力された場合にも、バルクヘッド１０における第２辺部１０ｂの上下両端の角部１０ｅ、１０ｅの両方に分散されてほぼ均等に伝達され、剛性の高いこれらの角部１０ｅ、１０ｅで確実に受け止められることになる。その結果、インナパネル４への局部的な荷重の作用が抑制され、側突荷重等によるサイドシル１ないしフレーム本体２の断面形状の変形が抑制されることになる。
【００５２】
また、車体に例えば路面の凹凸等に起因してねじり荷重が加わった場合、サイドシル１のフレーム本体２は、図６に変形を誇張して示すように、アウタパネル３及びインナパネル４の上面部３ｂ、４ｂと下面部３ｃ、４ｃのフランジ３ｄ、４ｄ及び３ｅ、４ｅによる上下の接合部ｘ、ｙが互いに離間するように変形する。
【００５３】
これに対し、前記バルクヘッド１０には、上下一対の第３辺部１０ｃ、１０ｃの折れ曲がり部ｂ、ｂ、即ち、前記フレーム本体２におけるアウタパネル３とインナパネル４の上下の接合部ｘ、ｙに対応する部位を結ぶ第３リブ２３が設けられているから、この第３リブ２３により、前記フレーム本体２の上下の接合部ｘ、ｙが離間するような変形が抑制されることになる。これにより、車体のねじり剛性が向上し、当該車両の良好な操縦安定性が実現される。
【００５４】
その場合に、前記第３リブ２３は、２つの第２リブ２２、２２の交点ｃを通らないから、これらのリブ２２、２２、２３を伝達する荷重が一点で集中することが回避されて、荷重の集中による該バルクヘッド１０の中央部における破損等が抑制されることになり、該バルクヘッド１０の強度が向上する。
【００５５】
さらに、この実施形態に係るバルクヘッド１０は、前記第１〜第３リブ２１〜２３が板面部１１の両面に設けられているから、サイドシル１のアウタパネル３から入力される荷重が該バルクヘッド１０の片面側に偏ることなく、板面部１１の両面に均等に分散されてインナパネル４側に伝達されることになり、荷重の分散伝達性能がさらに向上することになる。
【００５６】
また、前記板面部１１の周囲を囲む周壁部１２を有するので、前記荷重Ｆがフレーム本体２の長手方向に比較的広い幅でバルクヘッド１０に入力されると共に、インナパネル４側へも広い幅で伝達されることになり、フレーム本体２の変形がさらに効果的に抑制されると共に、フレーム本体２の内面に対する該バルクヘッド１０の広い接合面積を確保することができ、該バルクヘッド１０が正規の姿勢で良好に配設されることになる。
【００５７】
そして、この周壁部１２は、図４に示すように、第１辺部１０ａ側の寸法Ｗ１より第２辺部１０ｂ側の寸法Ｗ２の方が広くされているので、フレーム本体２のアウタパネル３側から該バルクヘッド１０に入力される荷重がインナパネル４側に向けて分散されながら伝達されることになり、荷重の分散伝達性能がさらに向上することになる。
【００５８】
また、この実施形態に係るバルクヘッド１０においては、図３に示すように、前記第１〜第３リブ２１〜２３の板面部１１からの高さが、第１〜第３辺部１０ａ、１０ｂ、１０ｃに接する端部より中間部のほうが低くされており、これにより、これらのリブ２１〜２３の荷重伝達性能を低下させない範囲で、バルクヘッド１０の軽量化が図られている。
【００５９】
そして、軽量化に関し、図８に示すバルクヘッド１０’においては、板面部１１’における周壁部１２’と各リブ２１’、２２’、２３’とで仕切られた部分のうち、比較的面積が大きく、荷重伝達性能への影響が比較的少ない部分に、開口部１１ａ’が設けられており、これにより、リブによる荷重伝達性能を低下させることなく、バルクヘッド１０’の軽量化が図られている。
【００６０】
なお、以上の実施形態では、バルクヘッド１０、１０’は樹脂で形成されているが、金属でバルクヘッドを形成することもでき、その場合は、板面部に、前記リブに代えてビードが設けられることになる。
【００６１】
また、以上の実施形態は、本発明をサイドシル１に適用した場合のものであるが、サイドシル以外に例えばセンタピラー等にも適用することができ、ピラーに適用した場合は、フレーム本体２のアウタパネル３及びインナパネル４の上面部３ｂ、４ｂ、下面部３ｃ、４ｃは、例えば前面部、後面部となる。
【産業上の利用可能性】
【００６２】
以上のように、本発明によれば、車体の耐側突性能や耐ねじり変形性能等に優れたはフレーム構造が実現されるので、本発明は、車両の製造産業分野において好適に利用される可能性がある。
【符号の説明】
【００６３】
１              サイドシル（フレーム）
３              アウタパネル（フレーム構成部材）
４              インナパネル（フレーム構成部材）
１０、１０’    バルクヘッド
１０ａ          第１辺部
１０ｂ          第２辺部
１０ｃ          第３辺部
１０ｄ、１０ｅ  角部
１１、１１’    板面部  
１２、１２’    周壁部
２１、２１’    第１リブ（第１線状補強部）
２２、２２’    第２リブ（第２線状補強部）
２３、２３’    第３リブ（第３線状補強部）
【図１】
0005636932.tif 000002
【図２】
0005636932.tif 000003
【図３】
0005636932.tif 000004
【図４】
0005636932.tif 000005
【図５】
0005636932.tif 000006
【図６】
0005636932.tif 000007
【図７】
0005636932.tif 000008